(57)【要約】【課題】  排気中の臭いを完全に除去することのできる生ゴミ等の処理装置を提供する。【解決手段】  生ゴミ処理装置１内で発生された排気中の水分を除去する水分除去手段７と、その下流側の、排気を加熱する加熱手段（加熱用ヒーター１１）と、その下流側の、臭いを分解する高温触媒１２と、その下流側の、排気を冷却する冷却手段（外気吸入ファン１３，排気冷却クーラー１４）を設けて脱臭部６を構成する。【選択図】  図１
2005081206.tif 000002
【特許請求の範囲】
【請求項１】
排気中の水分を除去する水分除去手段と、その下流側の排気を加熱する加熱手段と、その下流側の臭いを分解する触媒と、その下流側の排気を冷却する冷却手段を設けたことを特徴とする生ゴミ等の処理装置。
【請求項２】
横平行に配設された左右の回転軸に、それぞれ設けられた左右の攪拌羽根の先端間には隙間が形成され、該隙間内に立ち上がり状に突部が設けられて成り、前記左右の攪拌羽根を処理対象物を下降させる方向に回転させて、前記処理対象物を前記突部に押し付け破砕できるように構成したことを特徴とする生ゴミ等の処理装置。
【発明の詳細な説明】
【技術分野】
【０００１】
本発明は、良好な脱臭機能を備えた生ゴミ等の処理装置に関するものである。
【背景技術】
【０００２】
従来、例えば特許文献１に開示されているように、平行に配置された回転軸にそれぞれ攪拌羽根を設けて、この攪拌羽根を噛み合わせた状態で回転させることのできる生ゴミ処理装置が存在する。
【特許文献１】特開２００３−００１２３０号公報
【発明の開示】
【発明が解決しようとする課題】
【０００３】
従来の生ゴミ処理装置においては、攪拌羽根で生ゴミを攪拌することはできるが、硬い生ゴミや大型の生ゴミ等を破砕する能力は乏しく、そのため、内部での生ゴミ処理に長時間を要するという問題点があった。
また、従来では、生ゴミ処理装置から発生する排気が悪臭を放ち、周囲の環境に悪影響を与えてしまうという問題点があった。
【課題を解決するための手段】
【０００４】
本発明は上記従来の問題点に鑑み案出したものであって、硬い生ゴミ等でも良好に破砕して高速で処理することができ、また、排気中の臭いを完全に除去することのできる生ゴミ等の処理装置を提供せんとするものであり、その請求項１は、排気中の水分を除去する水分除去手段と、その下流側の排気を加熱する加熱手段と、その下流側の臭いを分解する触媒と、その下流側の排気を冷却する冷却手段を設けたことである。
【０００５】
また、請求項２は、横平行に配設された左右の回転軸に、それぞれ設けられた左右の攪拌羽根の先端間には隙間が形成され、該隙間内に立ち上がり状に突部が設けられて成り、前記左右の攪拌羽根を処理対象物を下降させる方向に回転させて、前記処理対象物を前記突部に押し付け破砕できるように構成したことである。
【発明の効果】
【０００６】
本発明は、排気中の水分を除去する水分除去手段と、排気を加熱する加熱手段と、臭いを分解する触媒と、排気を冷却する冷却手段を設けたことにより、水分除去手段により、排気中の水分を凝集させる等して除去することができ、その後に、加熱手段により排気を加熱し、高温で反応する触媒中において臭いを良好に分解することができ、更にその下流で、冷却手段を介し排気の温度を下げることにより、臭いがほとんど出ない装置とすることができる。
【０００７】
また、左右の攪拌羽根を処理対象物を下降させる方向に回転させて、処理対象物を突部に押し付け破砕できるように構成したことにより、硬い生ゴミや大型で長い野菜や草等が含まれた生ゴミ等においても、左右の攪拌羽根を回転させて突部に押し付け、確実に破砕することができ、生ゴミ等を細かく破砕して高速でその後の処理を行うことができ、処理装置全体を小型化させることができるものとなる。
【実施例】
【０００８】
以下、本発明の実施例を図面に基づいて説明する。
図１は、生ゴミ処理装置の脱臭部の断面構成図であり、また図２は、脱臭部を側面側から見た排気通路の概略構成図である。
図において、生ゴミ処理装置１の外周を構成する本体ハウジング２には、外側に向かって排気通路９を形成する断熱材８が設けられており、この断熱材８内には、上流側に拡径部９ａが形成され、その下流側に、径を狭めた縮径部９ｂが設けられ、更にその下流側には、広い空間を形成する空洞室９ｃが形成されており、空洞室９ｃには連通状に排気ダクト１０が接続されている。
【０００９】
この排気通路９の上流側の本体ハウジング２内には、排気通路９と連通してデミスター（商品名）で構成された水分除去手段７が設けられている。
このデミスター７は、ステンレス製の金網で構成されており、本体ハウジング２内で発生する排気（水蒸気）が、このデミスター７の金網に当ると、排気（水蒸気）中の水分が凝集されて水滴となり、水滴となった状態で下方へ落下して、良好に排気中の水分が除去されるように構成されており、同時に、排気中のゴミも、このデミスター７で捕獲して水滴と共に落下させる等して除去できるものである。
【００１０】
このデミスター７で水分が除去された排気が、排気通路９の拡径部９ａ内に流されるが、拡径部９ａ内には加熱手段を構成する加熱用ヒーター１１が設けられており、この加熱用ヒーター１１は、電熱で３５０℃〜４００℃程度に排気を加熱できるものである。
このように加熱用ヒーター１１で加熱された排気は、その下流側の縮径部９ｂ内に嵌め込まれている高温触媒１２内を通る過程において、臭い成分が分解されるものである。
【００１１】
なお、この高温触媒１２は、ハニカム状の白金触媒で構成されており、高温の排気が通過する際に白金触媒の触媒作用により、排気中の臭い成分が良好に分解されるものである。
即ち、排気は、上流側のデミスター７により水分が除去されているため、加熱用ヒーター１１の温度が下がることがなく、確実に加熱用ヒーター１１で３５０℃〜４００℃程度に加熱されて高温となっているため、高温触媒１２は効率良く触媒作用を発揮でき、臭い成分を分解することができるものである。
【００１２】
なお、高温触媒１２の下流側の空洞室９ｃ内で排気は膨張し、圧損がなくなるとともに、流速が減じられて、空洞室９ｃ内に排気が滞留されることとなり、これにより、長い時間に亘り高温触媒１２に排気が接触して、臭いが確実に分解されるように構成されている。
このように、長い時間高温触媒１２に接触されて臭いが分解された排気は、その後に排気ダクト１０内を通り排出されるのであるが、排気ダクト１０には、外気を吸入させるための外気吸入ファン１３が設けられており、外気吸入ファン１３が回転されて、外気が排気ダクト１０内に吸い込まれ、この外気により排気が冷却されるものである。
【００１３】
更に、排気ダクト１０の外周には、排気冷却クーラー１４が設けられており、この排気冷却クーラー１４で生成された冷気が、排気ダクト１０内に噴出されて、冷気により確実に排気ダクト１０内を通る排気が冷やされて、ほぼ外気温に近い温度にされて排出されるものである。
なお、排気ダクト１０にはブロア１５を設けておき、このブロア１５を回転させて、良好に本体ハウジング２内で発生する排気を排気通路９内に導き、かつ排気ダクト１０を通して排出できるように構成されている。
【００１４】
なお、前記デミスター７，加熱用ヒーター１１，高温触媒１２，外気吸入ファン１３，排気冷却クーラー１４の構成部材により脱臭部６が構成されており、この脱臭部６は、生ゴミ処理装置の本体ハウジング２に後付けできるものであり、生ゴミ処理装置１内で処理される処理対象物が如何なるものであっても、確実に排気中の臭いを分解して、臭いの無い排気とすることができるものである。
なお、本体ハウジング２内で処理される処理対象物としては、生ゴミ，糞尿，コーヒーの豆粕，紙おむつ等が挙げられる。
【００１５】
なお、本体ハウジング２内には、図３に示すような破砕部５が内装されている。
破砕部５は、横方向に平行に設けられた左右の回転軸３ａ，３ｂを備え、この左右の回転軸３ａ，３ｂには、それぞれ左攪拌羽根４ａと右攪拌羽根４ｂが設けられており、左攪拌羽根４ａの羽根の先端と、右攪拌羽根４ｂの羽根の先端間には、隙間Ｓ１が形成されるように、左右の攪拌羽根４ａ，４ｂが配置されている。
【００１６】
なお、左右の攪拌羽根４ａ，４ｂの回転する軌跡に沿って、下面側には円弧状にそれぞれ左円弧状底面２ａと、右円弧状底面２ｂが形成されている。この円弧状底面２ａ，２ｂと、各攪拌羽根４ａ，４ｂの先端間には、３mm〜５mm程度の隙間Ｓ２が形成されている。
左右の攪拌羽根４ａ，４ｂ間の隙間Ｓ１内には、下方から上方に向かって突部２ｃが立上げ状に配置されており、この突部２ｃは、左右の円弧状底面２ａ，２ｂから連続状に形成したものであっても良く、また別体で取り付けたものであっても良い。
更に、この突部２ｃは、上端が推形状の鋭利な先端を有する形状に形成されたものであっても、また、上端が裁頭台形状に形成されたものであっても良い。
【００１７】
なお、左右の回転軸３ａ，３ｂは、モーターで回転されるものであり、左右の攪拌羽根４ａ，４ｂが同期して対向状に内側に向かって回転し、処理対象物である生ゴミ等を上方側から下方に向けて下降させることができるように構成され、この左右の攪拌羽根４ａ，４ｂが対向状に回転することで、生ゴミ等の処理対象物は突部２ｃの鋭利な部分に押し付けられることとなり、この突部２ｃで切断されたり破砕され、長い或いは大形の処理対象物を、この突部２ｃで良好に細かくすることができるものである。
更に、処理対象物は左右の攪拌羽根４ａ，４ｂの回転に伴って、隙間Ｓ２内に押し込まれて、隙間Ｓ２内で更に細かく破砕されてゆくこととなる。
【００１８】
なお、生ゴミ等の処理対象物が、突部２ｃ或いは隙間Ｓ２に噛み込んでしまったような場合には、回転軸３ａ，３ｂを介しモーターに負荷がかかるため、この負荷による電流値の変化等を検知して、約５秒間、左右の攪拌羽根４ａ，４ｂを同時に逆転させて、噛み込み状態を解消できるように構成されている。
なお、約５秒程度逆転させた後には、自動的に元の回転に戻るように制御される。
なお、この破砕部５内には、生ゴミ等の処理対象物と共に、オガクズ等と一緒に菌体が入れられるものであり、生ゴミ等の処理対象物は細かくされて、徐々に菌体（微生物，酵素）による分解作用を受けて、低分子化され、生ゴミ処理装置１内で無機化されるものである。
【図面の簡単な説明】
【００１９】
【図１】生ゴミ処理装置の本体ハウジングに取り付けられた脱臭部の断面構成図である。
【図２】図１の脱臭部を側面側から見た概略構成図である。
【図３】生ゴミ処理装置内部の破砕部の概略構成図である。
【符号の説明】
【００２０】
１  生ゴミ処理装置
２  本体ハウジング
２ａ，２ｂ  円弧状底面
３ａ，３ｂ  回転軸
４ａ，４ｂ  攪拌羽根
５  破砕部
６  脱臭部
７  水分除去手段（デミスター）
８  断熱材
９  排気通路
９ａ  拡径部
９ｂ  縮径部
９ｃ  空洞室
１０  排気ダクト
１１  加熱手段（加熱用ヒーター）
１２  高温触媒
１３  外気吸入ファン
１４  排気冷却クーラー
１５  ブロア
Ｓ１，Ｓ２  隙間
【図１】
2005081206.tif 000003
【図２】
2005081206.tif 000004
【図３】
2005081206.tif 000005